(57)【要約】【課題】スイッチの配置場所を効率的に増大させることができるインナーミラーを提供することを課題とする。【解決手段】インナーミラー１０は、フロントガラス内側に配置されるミラーであって、指向性を有する複数の赤外線センサ１２が配置され、この複数の赤外線センサ１２によって人手の移動方向が検出可能になっている。このように、比較的広い領域であるインナーミラーをスイッチの配置場所として利用することにより、スイッチの配置場所を効率的に増大させることができる付加価値の高いインナーミラー１０とすることができる。また、非接触で操作することができるので、自動車の運転中であっても著しく操作し易く、その上、操作によって鏡面が汚れることがない。【選択図】図１
2007137331.tif 000002
【特許請求の範囲】
【請求項１】
フロントガラス内側に配置されるインナーミラーであって、
指向性を有する複数の赤外線センサが配置され、前記複数の赤外線センサによって人手の移動方向が検出可能になっていることを特徴とするインナーミラー。
【請求項２】
フロントガラス内側に配置されるインナーミラーであって、
指向性を有する複数の測距センサが配置され、前記複数の測距センサによって人手の移動方向が検出可能になっていることを特徴とするインナーミラー。
【請求項３】
前記複数の赤外線センサ、又は、前記複数の測距センサの少なくとも１つがミラー面の内側に配置されていることを特徴とする請求項１又は２に記載のインナーミラー。
【請求項４】
前記複数の赤外線センサ又は前記複数の測距センサからの検出信号に基づいて人手の移動方向を判断すると共に、この判断に基づいて操作指令を選択して送信する制御部を備えたことを特徴とする請求項１〜３のうちいずれか１項に記載のインナーミラー。
【請求項５】
前記インナーミラーをＥＣ防眩ミラーとして制御するマイクロコンピュータが設けられ、
前記制御部が前記マイクロコンピュータに設けられていることを特徴とする請求項４に記載のインナーミラー。
【発明の詳細な説明】
【技術分野】
【０００１】
本発明は、フロントガラス内側に配置されるスイッチ機能を有するインナーミラーに関する。
【背景技術】
【０００２】
近年、自動車の電子化に伴い、益々多くのスイッチ（入力手段）が必要となってきている（例えば特許文献１参照）。
【０００３】
しかし、インパネ（インストルパネル）、センターコンソール、ドアパネルなど、既に多くの場所にスイッチが配置されており、スイッチの配置スペースが不足してきている。このため、自動車の電子化が更に進むと、運転者にとって複雑になり過ぎて判り難くなるおそれがあるという問題があった。
【特許文献１】特開２００２−２６４７２６号公報
【発明の開示】
【発明が解決しようとする課題】
【０００４】
本発明は、上記事実を考慮して、スイッチの配置場所を効率的に増大させることができるインナーミラーを提供することを課題とする。
【課題を解決するための手段】
【０００５】
スイッチの後付けが可能な場所としてはインパネ中央が考えられるが、現状ではナビゲーション画面を配置していることが多く、しかも形状が限られているため、意匠性（デザイン性）に乏しい。
【０００６】
そこで、本発明者は、インナーミラー周囲は比較的に未開拓の領域であることに着目した。そして、このインナーミラー及びその周囲を有効に利用することを鋭意検討し、本発明を完成するに至った。
【０００７】
請求項１に記載の発明は、フロントガラス内側に配置されるインナーミラーであって、指向性を有する複数の赤外線センサが配置され、前記複数の赤外線センサ（赤外線を検知するセンサ）によって人手の移動方向が検出可能になっていることを特徴とする。
【０００８】
このように、請求項１に記載の発明では、比較的広い領域であるインナーミラーをスイッチの配置場所として利用しているので、スイッチの配置場所を効率的に増大させることができる付加価値の高いインナーミラーとすることができる。
【０００９】
また、非接触で操作することができるので、自動車の運転中であっても著しく操作し易く、その上、操作によって鏡面が汚れることがない。
【００１０】
そして、自動車には必ずインナーミラーが設けられているので、あらゆる車輌に対応可能である。
【００１１】
更に、インナーミラーは運転者の視線方向よりも上に位置しており、前方での視線移動量が少なく、しかも、インナーミラーは運転者の手が必ずとどく位置に配置されている。従って、運転中であっても運転者がインナーミラーを識別し易く、一般のナビゲーション画面のように識別し難いことはない。
【００１２】
また、一般にオーバーヘッド部（通常はマップランプの位置）にまで電力供給用の電気配線が到達しているので、請求項１に記載のインナーミラーをオプションとして後付けすることが可能である。
【００１３】
請求項２に記載の発明は、フロントガラス内側に配置されるインナーミラーであって、指向性を有する光を出射する複数の測距センサ（距離を測定するためのセンサ）が配置され、前記複数の測距センサによって人手の移動方向が検出可能になっていることを特徴とする。
【００１４】
これにより、請求項１に記載の発明と同様の効果を奏することができる。
【００１５】
請求項３に記載の発明は、前記複数の赤外線センサ、又は、前記複数の測距センサの少なくとも１つがミラー面の内側に配置されていることを特徴とする。
【００１６】
これにより、請求項１に記載の発明と同様の効果を奏することができ、かつ、ミラー面の内側にセンサを配置することで、外観・見栄えを損なわず、意匠デザインの自由度も上げることができる。また、インナーミラーに特定の多数のスイッチを配置することなく多機能とすることができ、ミラーの周りに特定の多数のスイッチが配置されない分だけミラー面を広くすることができる。
【００１７】
なお、インナーミラーを保持しているミラーベースを利用することにより、更に充分な配置スペースを確保することができる。
【００１８】
請求項４に記載の発明は、前記複数の赤外線センサ又は前記複数の測距センサからの検出信号に基づいて人手の移動方向を判断すると共に、この判断に基づいて操作指令を選択して送信する制御部を備えたことを特徴とする。
【００１９】
これにより、比較的安価なデバイスで、スイッチの配置場所を効率的に増大させることができる。
【００２０】
請求項５に記載の発明は、前記インナーミラーをＥＣ防眩ミラーとして制御するマイクロコンピュータが設けられ、前記制御部が前記マイクロコンピュータに設けられていることを特徴とする。
【００２１】
インナーミラーをＥＣ防眩ミラーとして制御するマイクロコンピュータ（ＥＣＵ）は、他の車載器と車内ＬＡＮによるリンクが可能であり、請求項５に記載の発明のように、このマイクロコンピュータに上記制御部を設けることによって、システムの簡素化を図ることができる。
【発明の効果】
【００２２】
本発明によれば、インナーミラーに配置場所を追加することなくスイッチを付加でき、また、インパネ等にさらにスイッチの配置スペースを設ける必要がなくなる。そして、全体として、スイッチの配置場所を効率的に増大させることができる。
【発明を実施するための最良の形態】
【００２３】
以下、実施形態を挙げ、本発明の実施の形態について説明する。なお、第２実施形態以下では、既に説明した構成要素と同様のものには同じ符号を付して、その説明を省略する。
【００２４】
［第１実施形態］
まず、第１実施形態について説明する。図１〜図３に示すように、本実施形態では、自動車のフロントガラス内側に配置されるインナーミラー１０には、ミラー正面方向に指向性を有する複数の赤外線センサ１２が配置されている。本実施形態では、赤外線センサ１２の配置位置は、インナーミラー１０の正面側にかざされた人手Ｈの移動方向を連続的に検出可能なように、ミラー枠１４及びミラー内側に配置されている。図１では、ミラー枠１４に１０個、ミラー面１６の内側に３個配置され、ミラー面１６は赤外線が透過可能な面にされている例を示している。
【００２５】
赤外線センサ１２は、赤外線発光素子と赤外線受光モジュールとが１組になったものであり、発光素子で放出し、跳ね返ってきた赤外線を受光素子で受け取り、距離を測定する仕組みになっている。
【００２６】
また、本実施形態の手かざしスイッチシステム２０（図４参照）には、インナーミラー１０をＥＣ防眩ミラーとして制御するＥＣＵ（マイクロコンピュータ）２２がオーバーヘッド部１８に設けられている。このＥＣＵ２２は、他の車載器と車内ＬＡＮによってリンクされている。
【００２７】
更に、図４に示すように、このＥＣＵ２２には制御部２４が設けられている。この制御部２４は、赤外線センサ１２からの検出信号に基づいて人手Ｈの移動方向を判断すると共に、この判断に基づいて操作指令を選択して送信するようになっている。
【００２８】
すなわち、図２に示すように、ミラー面に対して上下方向、左右方向、右斜め方向（斜め右上−斜め右下の方向）、左斜め方向（斜め左上−斜め左下の方向）の各方向について、及び、図３に示すように、ミラー面に対して前後方向（遠近方向）について、人手Ｈから発せられる赤外線の検知に基づいて、人手Ｈの移動方向を制御部２４が判断できる。そして、判断した移動方向により、前後方向であれば制御するモード（オーディオ、エアコン、マップランプなど）の選定の切替、上下方向であれば、増減の変更（例えばモードでオーディオを選定している場合では音量の増減調整）、左右方向であれば、選定したモードにおける１つのパラメータ群のうちの別のパラメータへの変更（例えばモードでオーディオを選定している場合では選曲の変更）、右斜め方向や左斜め方向であれば、選定したモードにおける１つのパラメータ群のうちの更に別のパラメータへの変更（例えばモードでオーディオを選定している場合では、ＣＤ、ＡＭ、ＦＭ、ＭＤなどの変更）、というように、各移動方向毎に操作指令内容を予め設定しておく。
【００２９】
また、選定されている操作内容の状態をミラー面１６に表示できるように、小型ディスプレイがインナーミラー１０に内蔵されている。なお、ＯＦＦにした状態では鏡面になるような液晶表示を用いても良い。
【００３０】
このように、本実施形態では、比較的広い領域であるインナーミラー１０をスイッチの配置場所として利用しているので、スイッチの配置場所を効率的に増大させることができる付加価値の高いインナーミラー１０とすることができる。
【００３１】
また、このスイッチを非接触で操作することができるので、自動車の運転中であっても著しく操作し易く、その上、操作によって鏡面が汚れることがない。
【００３２】
更に、インナーミラー１０は運転者の視線方向よりも上に位置しており、前方での視線移動量が少なく、しかも、インナーミラーは運転者の手が必ずとどく位置に配置されているので、運転中であっても運転者がインナーミラーを識別し易く、一般のナビゲーション画面のように識別し難いことはない。
【００３３】
また、オーバーヘッド部１８（通常はマップランプ１９の位置）にまで電力供給用の電気配線が到達しているので、インナーミラー１０をオプションとして自動車に後付けすることが可能である。
【００３４】
更に、赤外線センサ１２がインナーミラー１０のミラー面１６の内側に配置されているので、外観・見栄えを損なわず、意匠デザインの自由度も上げることができる。また、インナーミラー１０に特定の多数のスイッチを配置することなく多機能とすることができ、ミラーの周りに特定の多数のスイッチが配置されない分だけミラー面を広くすることができる。なお、インナーミラー１０を保持しているミラーベース１１を利用することにより、更に充分な配置スペースを確保することができる。
【００３５】
また、このような制御部２４を設けているので、比較的安価なデバイスで、スイッチの配置場所を効率的に増大させることができるインナーミラー１０とすることができる。
【００３６】
更に、ＥＣＵ２２内に制御部２４を設けているので、インナーミラー１０の簡素化を図ることができる。
【００３７】
［第２実施形態］
次に、第２実施形態について説明する。図５に示すように、本実施形態では、インナーミラー３０には、第１実施形態で説明したインナーミラー１０に比べ、赤外線センサ１２に代えて測距センサ３２が配置されている。本実施形態では、測距センサ３２は、指向性を有する光を出射するセンサであり、インナーミラー３０のミラー面３６は、測距センサ３２の光が透過可能なようにされている。
【００３８】
そして、本実施形態では、制御部２４は、測距センサ３２からの検出信号に基づいて人手Ｈの移動方向を判断すると共に、この判断に基づいて操作指令を選択して送信するようにされている。
【００３９】
本実施形態により、第１実施形態と同様の効果を奏することができる。
【００４０】
［第３実施形態］
次に、第３実施形態について説明する。本実施形態では、第１実施形態に比べ、人手Ｈの移動方向のみならず移動速度をも検出可能となるように、赤外線センサの種類、配置個数、及び配置位置が設定され、これに合わせて制御部２４の制御方式が設定されている。
【００４１】
例えば、人手Ｈを左右方向にゆっくり移動させた場合（図６参照）と人手Ｈを左右方向に素早く移動させた場合（図７参照）とで、制御部２４の指令内容を異ならせるようにする。また、人手Ｈを前後方向にゆっくり移動させた場合と人手Ｈを前後方向に素早く移動させた場合（図８参照）とで制御部２４の指令内容を異ならせるようにする。
【００４２】
本実施形態により、制御する上で指令数（コマンド数）を更に増大させることができるので、より多くの操作対象に対応可能となる。
【００４３】
＜第３実施形態の実施例＞
本実施例では、制御するモードとしてマップランプを選定した場合を例に挙げて説明する。マップランプを選定した場合、人手Ｈを前後方向に移動させるとマップランプのＯＮ／ＯＦＦの切替、人手Ｈを上下方向に移動させると明るさの変更、人手Ｈを左右方向に移動させると、ランプの色の変更（例えば、白→黒→青→赤）、が行われるように制御部２４が予め設定されている。また、人手Ｈをゆっくり移動させた場合には徐々に変更（切替）が行われ、素早く移動させた場合には段階的に変更が行われるように制御部２４の設定が行われている。
【００４４】
これにより、例えば図８に示すように、人手Ｈを前後方向に素早く移動させるとマップランプ１９が瞬時に点灯し、人手Ｈを前後方向にゆっくり移動させるとマップランプ１９が徐々に点灯する。
【００４５】
なお、図９に示すように、インナーミラーの下面側にマップランプ３９が配置されていても良い。
【００４６】
以上、実施形態を挙げて本発明の実施の形態を説明したが、これらの実施形態は一例であり、要旨を逸脱しない範囲内で種々変更して実施できる。例えば、センサは最小限上下左右に４つ設けてあれば実施可能であり、センサを格子状にすることもできる。また、本発明の権利範囲がこれらの実施形態に限定されないことは言うまでもない。
【図面の簡単な説明】
【００４７】
【図１】第１実施形態に係るインナーミラーの正面図である。
【図２】第１実施形態で、インナーミラーの正面側で運転者が片手をミラー面に沿った方向に移動させることを示す説明図である。
【図３】第１実施形態で、インナーミラーの正面側で運転者が片手をミラー面に対して前後方向に移動させることを示す説明図である。
【図４】第１実施形態に係る手かざしスイッチシステムを説明するブロック図である。
【図５】第２実施形態に係るインナーミラーの正面図である。
【図６】第３実施形態で、インナーミラーの正面側で運転者が片手をミラー面に沿って左右方向にゆっくり移動させることを示す説明図である。
【図７】第３実施形態で、インナーミラーの正面側で運転者が片手をミラー面に沿って左右方向に素早く移動させることを示す説明図である。
【図８】第３実施形態で、インナーミラーの正面側で運転者が片手をミラー面に対して前後方向に素早く移動させることを示す説明図である。
【図９】第３実施形態で変形例を示す説明図である。
【符号の説明】
【００４８】
１０  インナーミラー
１２  赤外線センサ
１６  ミラー面
２０  手かざしスイッチシステム
２２  ＥＣＵ（マイクロコンピュータ）
２４  制御部
３０  インナーミラー
３２  測距センサ
【図１】
2007137331.tif 000003
【図２】
2007137331.tif 000004
【図３】
2007137331.tif 000005
【図４】
2007137331.tif 000006
【図５】
2007137331.tif 000007
【図６】
2007137331.tif 000008
【図７】
2007137331.tif 000009
【図８】
2007137331.tif 000010
【図９】
2007137331.tif 000011